(57)【特許請求の範囲】
【請求項１】
第１電極が設けられた第１基板と、
複数の画素に共通の第２電極が設けられた第２基板と、
前記第１基板および前記第２基板間に前記第１電極および前記第２電極を介して挟持された液晶層と、
前記第２電極に設けられ、前記液晶層を構成する液晶分子の配向に寄与する開口と、
前記第２基板と前記第２電極との間に設けられると共に、前記第２電極に接続され、当該第２電極と同じ電位が印加されるようにして帯電防止層として機能するように導電性を備えたカラーフィルタ層と
を備えた液晶表示装置。
【請求項２】
前記カラーフィルタ層と前記第２電極との間にセルギャップ調整層が設けられている
請求項１に記載の液晶表示装置。
【請求項３】
前記第１電極および前記第２電極に対して電圧無印加の状態では前記液晶分子が前記第１基板と前記第２基板に対してほぼ垂直に配向し、電圧印加の状態では前記液晶分子が前記第１基板と前記第２基板に対してほぼ水平に配向する
請求項１に記載の液晶表示装置。
【発明の詳細な説明】
【技術分野】
【０００１】
本発明は液晶表示装置に関し、特には一対の基板間に電極を介して液晶を挟持してなる液晶表示装置に関する。
【背景技術】
【０００２】
液晶表示装置においては、視野角特性の向上を目的とした様々な表示モードが開発されている。なかでも垂直配向膜を用いてマルチドメイン配向するマルチドメインバーチカルアラインモード（Multi Vertically Aligned：ＭＶＡモード）は、視野角特性に優れた表示モードとして注目されている。
【０００３】
図１２には、ＭＶＡモードの液晶表示装置の概略構成図を示す。この図に示すように、ＭＶＡモードの液晶表示装置においては、駆動側基板２０１と対向基板２０３との間に液晶ＬＣが挟持してなる。また、駆動回路が設けられる駆動側基板２０１の液晶ＬＣ側には画素電極２０５が配列形成され、表示光の取り出し側となる対向基板２０３の液晶ＬＣ側には共通電極２０７が設けられている。各電極２０５，２０７は、垂直配向膜（図示省略）に覆われた状態となっている。また、駆動側基板２０１と対向基板２０３の外側面には、一対の偏向板２０８，２０９が設けられている。そして特に、電極２０５，２０７の少なくとも一方に、電圧印加時において液晶ＬＣを異なる方向に分割配向させるための配向核として、スリット状の開口２０５ａ，２０７ａや突起物（図示省略）が設けられているところが特徴的である。
【０００４】
また近年においては、共通電極２０７側に設ける配向核の面積を、１画素に対して５％以下とすることにより、画素開口率の低下防止を図る構成が提案されている（下記特許文献１参照）。
【０００５】
ところが、配向核として共通電極２０７に突起物を設けた場合、電圧無印加時であっても液晶ＬＣが突起物の側壁の傾斜にならって配向する。このため、黒表示において光漏れが発生してコントラストが低下する。
【０００６】
一方、配向核として共通電極２０７に開口２０７ａを設けた場合には、上述した光漏れの発生は防止できる。ところが、開口２０７ａ部分においては共通電極２０７が除去されていることから、例えば指先などの接触によって開口２０７ａ部分に対応する対向基板２０３部分に静電気が帯電し易く、この部分が帯電すると開口２０７ａを通して液晶ＬＣに電界がもれ、この電界によって液晶の配向に乱れが生じる。また、開口２０７ａ部分には電極が設けられていないことから、一度帯電した静電気を除去することも困難である。
【０００７】
そこで、図１３（１）に示すように、対向基板２０３側の偏向板２０９に導電性を持たせ、導電性テープ２１１を接続して接地する構成が実施されている。また、図１３（２）に示すように、対向基板２０３の外面に導電層２１３を設けてその外側に偏向板２０９を設け、導電層２１３に導電性テープ２１１を接続して接地する構成が実施されている。
【０００８】
尚、駆動側の基板上に画素電極と共通電極との両方が設けられているＩＰＳ（In Plane Switching）モードの液晶表示装置においては、対向基板の液晶に向かう面側に導電膜を設けることで帯電防止する構成が提案されている（下記特許文献２参照）。
【０００９】
【特許文献１】特開２００２−４０４３２号公報
【特許文献２】特許３４８４７０２号公報
【発明の開示】
【発明が解決しようとする課題】
【００１０】
しかしながら以上のような帯電防止策には、次のような課題があった。すなわち、図１３（１）で説明した構成では、偏向板２０９に対して充分な導電性を付与することができず、帯電防止の効果が低い。また、図１３（２）で説明した構成では、表示装置の薄型化を図る場合に、液晶ＬＣを介して駆動側基板２０１と対向基板２０３と貼り合わせて液晶パネルを組み立て、次に基板２０１，２０３の外側面を薄型化した後に、導電層２１３を形成する工程が行われることになり、導電層２１３の形成プロセス自体が困難である。
【００１１】
さらに、図１３（１）および図１３（２）の構成とも、充分な帯電防止効果を得るためには、導電性テープ２１１を接続させて接地する必要があり、表示装置の薄型化が阻害されると共に、部品点数が増加するためコスト高になる。
【００１２】
また特許文献２の構成は、駆動側の基板上に画素電極と共通電極との両方が設けられているＩＰＳの液晶表示装置において対向基板側の帯電を防止するための構成であり、対向基板側に共通電極が設けられている液晶表示装置に対してそのまま適用することはできない。
【００１３】
そこで本発明は、分割配向のための開口を備えた電極が表示光の取り出し側となる対向基板上に設けられた構成において、開口部分の帯電による光漏れを防止することが可能な液晶表示装置を提供することを目的とする。
【課題を解決するための手段】
【００１４】
本発明の液晶表示装置は、第１電極が設けられた第１基板と、複数の画素に共通の第２電極が設けられた第２基板と、これらの基板間に第１電極および第２電極を介して挟持された液晶層と、第２電極に設けられ、液晶層を構成する液晶分子の配向に寄与する開口と、第２基板と第２電極との間に設けられると共に、前記第２電極に接続されて帯電防止層として機能するカラーフィルタ層とを備えたものである。
【００１５】
本発明の液晶表示装置では、第２基板に例えば指先などが接触することにより、第２電極の開口に対応する第２基板部分に静電気が帯電した場合であっても、第２基板と第２電極との間に設けた帯電防止層としてのカラーフィルタ層から静電気が逃がされる。これにより、分割配向のための開口に対応する部分に静電気が帯電し続けることがなく、この帯電による光漏れが防止される。
【発明の効果】
【００１６】
本発明の液晶表示装置によれば、分割配向のための開口を備えた第２電極が表示光の取り出し側となる第２基板上に設けられた構成において、開口部分の帯電による光漏れを防止することが可能となるため、ＭＶＡモードの液晶表示におけるコントラストの向上および表示ムラを防止することが可能になる。
【発明を実施するための最良の形態】
【００１７】
以下、本発明の実施の形態を図面に基づいて詳細に説明する。先ず、各実施の形態を説明するに先立ち、本発明が適用される液晶表示装置の回路構成を説明する。尚、各実施形態において共通する構成要素には同一の符号を付し、重複する説明は省略する。
【００１８】
＜液晶表示装置の回路構成＞
図１は、本発明が適用される液晶表示装置の回路構成の一例を示す図である。この図に示す液晶表示装置１はアクティブマトリックス駆動の液晶表示装置であり、表示領域１ａとその周辺領域１ｂとが設定されている。表示領域１ａには、複数の走査線２と複数の信号線３とが縦横に配線されており、それぞれの交差部に対応して１つの画素が設けられた画素アレイ部として構成されている。また、表示領域１ａには、走査線２（または信号線）と平行に共通配線４が配線されている。一方、周辺領域１ｂには、走査線２を走査駆動する走査線駆動回路２ｂと、輝度情報に応じた映像信号（すなわち入力信号）を信号線３に供給する信号線駆動回路３ｂとが配置されている。
【００１９】
各画素には、例えばスイッチング素子としての薄膜トランジスタＴｒおよび保持容量Ｃｓからなる画素回路が設けられ、さらにこの画素回路に接続された画素電極５が設けられている。
【００２０】
薄膜トランジスタＴｒは、ゲートが走査線２に接続され、ソース／ドレインの一方が信号線３に接続され、ソース／ドレインの他方が保持容量Ｃｓと画素電極５とに接続されている。また容量素子Ｃｓのもう一方の電極は、共通配線４に接続されている。尚、ここでの図示は省略しているが、共通配線４に接続された共通電極が、各画素に設けられた画素電極５に対向して配置され、これらの画素電極５と共通電極との間に液晶層が挟持された構成となっている。
【００２１】
そして、薄膜トランジスタＴｒを介して信号線３から書き込まれた映像信号が保持容量Ｃｓに保持され、保持された信号量に応じた電圧が画素電極５に供給される構成となっている。
【００２２】
以上のような画素回路の構成は、あくまでも一例であり、必要に応じて画素回路内に容量素子を設けたり、さらに複数のトランジスタを設けて画素回路を構成しても良い。また、周辺領域１ｂには、画素回路の変更に応じて必要な駆動回路を追加しても良い。
【００２３】
＜第１実施形態＞
図２は、第１実施形態の液晶表示装置１-1の要部断面構成図である。この図に示す液晶表示装置１-1は、ＭＶＡモードの液晶表示装置であり、次のように構成されている。
【００２４】
すなわち液晶表示装置１-1は、駆動基板（第１基板）１０と、この駆動基板１０の素子形成面側に対向配置された対向基板（第２基板）２０と、これらの駆動基板１０と対向基板２０との間に狭持された液晶層３０とを備えている。また駆動基板１０および対向基板２０の外側面には、偏光板４０，５０が密着状態でクロスニコルに設けられている。
【００２５】
このうち駆動基板１０は、ここでの詳細な図示は省略したが、ガラス基板のような透明基板の液晶層３０に向かう面上に、上述した走査線、信号線、さらには薄膜トランジスタや保持容量からなる画素回路が設けられており、これらが層間絶縁膜で覆われてなる。このような駆動基板１０の層間絶縁膜上の表示領域１ａに、第１電極として画素電極５が配列形成されている。これらの画素電極５は、層間絶縁膜に設けた接続孔を介して各画素回路に接続されている。各画素電極５には、液晶層３０を構成する液晶分子ｍを、所定方向に分割配向させるためのスリット（図示省略）が設けられていることとする。尚、画素電極５を覆う状態で、ここでの図示を省略した垂直配向膜が設けられていることとする。
【００２６】
一方、対向基板２０は、表示光の取り出し側となる基板であり、ガラス基板のような透明基板からなる。この対向基板２０の液晶層３０に向かう面には、後で説明する帯電防止層２１を介して、カラーフィルタ層２３および第２電極としての共通電極２５が設けられているところが特徴的である。また、共通電極２５を覆う状態で、ここでの図示を省略した垂直配向膜が設けられている。
【００２７】
このうち、カラーフィルタ層２３は、例えば各画素に対応して配置された赤色フィルタ、緑色フィルタ、および青色フィルタと共に、周辺領域１ｂの必要部分を覆う状態で設けられたブラックマトリックス等で構成されている。またこのカラーフィルタ層２３は、絶縁性材料で構成されていることとする。
【００２８】
また共通電極２５は、例えばＩＴＯ（Indium Tin Oxide）のような透明導電性材料からなり、表示領域１ａの全面を覆っている。この共通電極２５は、カラーフィルタ層２３によって帯電防止層２１に対して絶縁性を保って配置されているが、周辺領域１ｂに引き出されて駆動基板１０側の共通電位Ｖｃｏｍの端子に接続されている。そして、この共通電極２５には、液晶層３０を構成する液晶分子ｍの配向に寄与する開口２５ａが設けられている。この開口２５ａは、液晶分子ｍを所定の複数の異なる方向に分割配向させるための配向核として設けられている。このような開口２５ａは、液晶分子ｍの分割配向に適する形状および面積で設けられていれば良く、スリット状であっても孔状であっても良い。
【００２９】
そして、本第１実施形態に特徴的である帯電防止層２１は、ＩＴＯのような透明導電性材料からなる。この帯電防止層２１は、周辺領域１ｂに引き出され、例えば導電性ペースト３３によって駆動基板１０側の電極端子１３に接続され、液晶層３０の駆動に影響を及ぼすことのない所定の電位（例えばグランド）に保たれる。
【００３０】
このような帯電防止層２１は、対向基板２０上の全面に配置しても良く、また共通電極２５に設けた開口２５ａに対応させた位置にパターン形成されても良い。
【００３１】
尚、この帯電防止層２１は、導電性が保たれる範囲で表示光の取り出しに影響を与えることのないように膜厚が設定されることが好ましい。例えばＩＴＯで構成された帯電防止層２１であれば、干渉による光学的な影響を抑えるため５ｎｍ〜５０ｎｍの膜厚で構成されることが好ましい。
【００３２】
以上のように構成された駆動基板１０−対向基板２０間に狭持された液晶層３０は、負の誘電異方性を有する液晶分子ｍによって構成されていることとし、画素電極５と共通電極２５とに電圧を印加した状態においては、液晶分子ｍが基板１０，２０面に対して水平に配向する構成となっている。この際、液晶分子ｍは、共通電極２５に設けた開口２５ａを配向核とし、例えば駆動電極５に設けたスリット（図示省略）の延設方向によって設定される所定の複数方向に分割して配向する。
【００３３】
また、この液晶層３０の厚み、すなわちセルギャップは、画素電極５−共通電極２５間に電圧印加時において液晶層３０が配向した状態でλ／２の位相差となるように、スペーサ（図示省略）によって調整されている。
【００３４】
以上のような構成のＭＶＡモードの液晶表示装置１-1は、電圧無印加の場合に黒表示となるノーマリーブラックでの表示が行われる。
【００３５】
このような構成の液晶表示装置１-1においては、表示面となる対向基板２０側の表面に、例えば指先などが接触することにより、共通電極２５に配向核として設けた開口２５ａに対応する対向基板２０部分に静電気が帯電した場合であっても、対向基板２０と共通電極２５との間に設けた帯電防止層２１から端子電極１３に静電気が逃がされる。これにより、配向核である開口２５ａに対応する部分に静電気が帯電し続けることがなく、この帯電が液晶分子ｍの配向に影響することが防止され、配向不良による光漏れの発生が防止される。
【００３６】
この結果、表示面となる対向基板２０側の共通電極２５に配向核として開口２５ａを設けたＭＶＡモードの液晶表示装置１-1における、コントラストの向上を図ること、および表示ムラを防止することが可能になる。
【００３７】
また、以上のような構成の液晶表示装置１-1について、５ｋｅＶの静電試験を行った結果、帯電による表示ムラの発生は見られず、本構造による効果が確認された。
【００３８】
＜第２実施形態＞
図３は、第２実施形態の液晶表示装置１-2の要部断面構成図である。この図に示す液晶表示装置１-2が、第１実施形態の液晶表示装置（図２参照）と異なるところは、共通電極２５に対して帯電防止層２１が接続されているところにあり、他の構成は同様である。
【００３９】
これにより、帯電防止層２１は、共通電位Ｖｃｏｍに保持されることになる。
【００４０】
このような構成の液晶表示装置１-2であっても、第１実施形態と同様の効果を得ることが可能である。このような構成の液晶表示装置１-2について、第１実施形態の液晶表示装置と同様に、５ｋｅＶの静電試験を行った結果、帯電による表示ムラの発生は見られず、本構造による効果が確認された。
【００４１】
またさらにこのような構成であれば、帯電防止層２１に電位を与えるための端子を特別に設ける必要がないため、周辺領域１ｂにおけるレイアウトの自由度を維持することが可能である。
【００４２】
＜第３実施形態＞
図４は、第３実施形態の液晶表示装置１-3の要部断面構成図である。この図に示す液晶表示装置１-3が、第１実施形態の液晶表示装置（図２参照）と異なるところは、共通電極２５の下地として設けられているカラーフィルタ層２３’を帯電防止層として機能させているところにある。このため、カラーフィルタ層２３’下には、特別な帯電防止層を設けていない。尚、その他の構成は第１実施形態と同様である。
【００４３】
この場合、カラーフィルタ層２３’が、例えば各画素に対応して配置された赤色フィルタ、緑色フィルタ、および青色フィルタと共に、周辺領域１ｂの必要部分を覆う状態で設けられたブラックマトリックス等で構成されているところは、第１実施形態と同様である。ここで、各フィルタは、それぞれが体積抵抗１０8〜１０13［Ωｃｍ］となる材料、すなわち一般的に帯電防止機能を有する程度に導電性を備えた材料を選択して形成されているところが特徴的である。
【００４４】
そして、このような帯電防止層として構成されたカラーフィルタ層２３’は、周辺領域１ｂに引き出され、例えば導電性ペースト３３によって駆動基板１０側の電極端子１３に接続され、液晶層３０の駆動に影響を及ぼすことのない所定の電位が印加される状態となっている。
【００４５】
このような構成の液晶表示装置１-3であっても、共通電極２５に配向核として設けた開口２５ａに対応する対向基板２０部分に帯電した静電気が、対向基板２０と共通電極２５との間に帯電防止層として設けたカラーフィルタ層２３’から端子電極１３に逃がされる。これにより、第１実施形態と同様に、帯電の影響による光漏れの発生が防止され、ＭＶＡモードの液晶表示装置１-3における、コントラストの向上を図ること、および表示ムラを防止することが可能になる。
【００４６】
また、このような構成の液晶表示装置１-3について、第１実施形態の液晶表示装置と同様に、５ｋｅＶの静電試験を行った結果、帯電による表示ムラが数十秒後には消失し、本構造による効果が確認された。
【００４７】
尚、液晶層３０の駆動に影響を及ぼすことがなければ、カラーフィルタ層２３’には、共通電極２５と同様に共通電位Ｖｃｏｍが印加されても良い。この場合、カラーフィルタ層２３’が、共通電極２５の直接の下地層となっていれば、カラーフィルタ層２３’と共通電極２５とがそのまま接続状態にあるため、カラーフィルタ層２３’に電位を与えるための端子を特別に設ける必要がなく、周辺領域１ｂにおけるレイアウトの自由度を維持することが可能である。
【００４８】
＜第４実施形態＞
図５は、第４実施形態の液晶表示装置１-4の要部断面構成図である。この図に示す液晶表示装置１-4が、第１実施形態の液晶表示装置（図２参照）と異なるところは、カラーフィルタ層２３を覆う平坦化層２７を帯電防止層として機能させているところにある。このため、カラーフィルタ層２３下には、特別な帯電防止層を設けていない。尚、その他の構成は第１実施形態と同様である。
【００４９】
この場合、カラーフィルタ層２３の構成は第１実施形態と同様であり、各赤色フィルタ、緑色フィルタ、青色フィルタ、およびブラックマトリックス等で構成されている。このような構成のカラーフィルタ層２３においては、フィルタ同士の端部が重なりあって表面平坦性が損なわれている場合がある。そこで、カラーフィルタ層２３を覆う状態で帯電防止層として機能する平坦化層２７を設け、この平坦化層２７上に共通電極２５が設けられる。
【００５０】
このような平坦化層２７は、体積抵抗１０8〜１０13［Ωｃｍ］となる材料、すなわち一般的に帯電防止機能を有する程度に導電性を備えた材料を選択して形成されているところが特徴的である。このような材料としては、例えば抵抗値が所定の値となるように絶縁性材料中に導電性微粒子を含有させたり、または所定の抵抗値となる導電性パリマーを選択して用いることができる。
【００５１】
そして、このような帯電防止層として構成された平坦化層２７は、周辺領域１ｂに引き出され、例えば導電性ペースト３３によって駆動基板１０側の電極端子１３に接続され、液晶層３０の駆動に影響を及ぼすことのない所定の電位が印加される状態となっている。
【００５２】
このような構成の液晶表示装置１-4であっても、共通電極２５に配向核として設けた開口２５ａに対応する対向基板２０部分に帯電した静電気が、対向基板２０と共通電極２５との間に帯電防止層として設けた平坦化層２７から電極端子１３に逃がされる。このため、第１実施形態と同様に、帯電の影響による光漏れの発生が防止され、ＭＶＡモードの液晶表示装置１-4における、コントラストの向上を図ること、および表示ムラを防止することが可能になる。
【００５３】
また、このような構成の液晶表示装置１-4について、第１実施形態の液晶表示装置と同様に、５ｋｅＶの静電試験を行った結果、帯電による表示ムラが数十秒後には消失し、本構造による効果が確認された。
【００５４】
尚、液晶層３０の駆動に影響を及ぼすことがなければ、平坦化層２７には、共通電極２５と同様に共通電位Ｖｃｏｍが印加されても良い。この場合、平坦化層２７が、共通電極２５の直接の下地層となっているため、平坦化層２７と共通電極２５とがそのまま接続状態にあるため、平坦化層２７に電位を与えるための端子を特別に設ける必要がなく、周辺領域１ｂにおけるレイアウトの自由度を維持することが可能である。
【００５５】
＜第５実施形態＞
図６は、第５実施形態の液晶表示装置１-5の要部断面構成図である。この図に示す液晶表示装置１-5は、各画素に反射表示部ｒと透過表示部ｔとが設けられた半透過反射型の半ＭＶＡモードの液晶表示装置であり、次のように構成されている。
【００５６】
すなわち、駆動基板１０上には、各画素の反射表示部ｒにおいて表示光を拡散反射させるための凹凸下地層１５が設けられている。この凹凸下地層１５における反射表示部ｒの凹凸面上には反射電極５ｒが設けられ、凹凸下地層１５における透過表示部ｔの平坦面上には透明電極５ｔが設けられ、これらの反射電極５ｒと透明電極５ｔとで画素電極５が構成されている。
【００５７】
また、対向基板２０上においては、帯電防止層２１およびカラーフィルタ層２３と、共通電極２５との間に、ギャップ調整層２９が設けられている。このギャップ調整層２９は、画素電極５と共通電極２５とに電圧を印加した状態において、液晶分子ｍが基板１０，２０面に対して水平に配向した場合に、透過表示部ｔにおける液晶層３０がλ／２の位相差となり、反射表示部ｒにおける液晶層３０がλ／４の位相差となるようにセルギャップを調整する段差を備えている。
【００５８】
そして、駆動基板１０−偏向板４０間、および対向基板２０−偏向板５０間には、遅相軸を直交させた状態で、λ／４位相差層４１，５１が設けられている。
【００５９】
このような構成においても、画素電極５には分割配向のためのスリットが設けられている。また、ギャップ調整層２９上の共通電極２５には、第１実施形態と同様に、液晶分子ｍの配向に寄与する配向核としての開口２５ａが設けられている。
【００６０】
また、カラーフィルタ層２３と対向基板２０との間の帯電防止層２１は、第１実施形態と同様の構成であり、透明導電性材料からなるものであって、周辺領域１ｂに引き出されて駆動基板１０側の電極端子１３に接続されていることとする。
【００６１】
以上のような構成のＭＶＡモードの半透過半反射型の液晶表示装置１-5であっても、電圧無印加の場合に黒表示となるノーマリーブラックでの表示が行われる。
【００６２】
また、このような構成の液晶表示装置１-6では、表示面側となる対向基板２０と共通電極２５との間に帯電防止層２１を設けたことにより、配向核として設けた開口２５ａに対応する対向基板２０部分に静電気が帯電した場合、対向基板２０と共通電極２５との間の帯電防止層２１から端子電極１３に静電気が逃がされる。これにより、第１実施形態と同様に、帯電の影響による光漏れの発生が防止され、ＭＶＡモードの液晶表示装置１-3における、コントラストの向上を図ること、および表示ムラを防止することが可能になる。
【００６３】
また、この液晶表示装置１-5においては、第２実施形態と同様に帯電防止層２１と共通電極２５とを接続させても良い。この場合には第２実施形態と同様に、帯電防止層２１に電位を与えるための端子を特別に設ける必要がないため、周辺領域１ｂにおけるレイアウトの自由度を維持することが可能である。
【００６４】
さらに、上述したＭＶＡモードの半透過半反射型の液晶表示装置１-5においては、第３実施形態と同様に、帯電防止層２１を設けずに、カラーフィルタ層２３に帯電防止層としての機能を持たせても良い。この場合、帯電防止層としての機能を備えたカラーフィルタ層は、第３実施形態で説明したと同様であり、各フィルタが、それぞれ体積抵抗１０8〜１０13［Ωｃｍ］となる材料、すなわち一般的に帯電防止機能を有する程度に導電性を備えた材料を選択して形成される。また、このような帯電防止層として構成されたカラーフィルタ層は、周辺領域１ｂに引き出され、例えば導電性ペースト３３によって駆動基板１０側の電極端子１３に接続され、液晶層３０の駆動に影響を及ぼすことのない所定の電位が印加させる。
【００６５】
またこの場合において、帯電防止層として構成されたカラーフィルタ層には、共通電極２５と同様に共通電位Ｖｃｏｍが印加されても良く、これによりは周辺領域１ｂにおけるレイアウトの自由度を維持することが可能であることも同様である。
【００６６】
さらにまた、上述したＭＶＡモードの半透過半反射型の液晶表示装置１-5においては、帯電防止層２１を設けずに、ギャップ調整層２９を帯電防止層として機能させても良い。このようなギャップ調整層２９は、体積抵抗１０8〜１０13［Ωｃｍ］となる材料、すなわち一般的に帯電防止機能を有する程度に導電性を備えた材料を選択して形成されているところが特徴的である。このような材料としては、例えば抵抗値が所定の値となるように絶縁性材料中に導電性微粒子を含有させたり、または所定の抵抗値となる導電性パリマーを選択して用いることができる。そして、このような帯電防止層として構成されたギャップ調整層２９は、周辺領域１ｂに引き出され、例えば導電性ペーストによって駆動基板１０側の電極端子１３に接続され、液晶層３０の駆動に影響を及ぼすことのない所定の電位が印加される状態となっている。
【００６７】
またこの場合において、液晶層３０の駆動に影響を及ぼすことがなければ、帯電防止層とし構成されたギャップ調整層には、共通電極２５と同様に共通電位Ｖｃｏｍが印加されても良い。この場合、ギャップ調整層２９が、共通電極２５の直接の下地層となっていてギャップ調整層２９と共通電極２５とがそのまま接続された状態にあるため、ギャップ調整層２９に電位を与えるための端子を特別に設ける必要がなく、周辺領域１ｂにおけるレイアウトの自由度を維持することが可能である。
【００６８】
尚、上述した第１実施形態〜第５実施形態においては、帯電防止層となる層に所定の電位が印加される構成とした。しかしながら、帯電防止層は浮遊した状態で設けられていた場合であっても、共通電極２５の開口２５ａに対応する対向基板２０部分に静電気が帯電した場合、この静電気が帯電防止層の全体に拡散するため、表示ムラを防止する効果を得ることができる。
【００６９】
また、上述した第１実施形態〜第５実施形態においては、アクティブマトリックス型の液晶表示装置に対して本発明を適用した構成を説明した。しかしならが本発明の液晶表示装置は、一対の基板の両側に液晶分子を配向させるための電極が設けられ、特に表示側の基板の電極の画素部分に開口が設けられた構成に広く適用可能であり、同様の効果を得ることが可能である。
【００７０】
＜適用例＞
以上説明した本発明に係る液晶表示装置は、図７〜図１１に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。以下に、本発明が適用される電子機器の一例について説明する。
【００７１】
図７は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。
【００７２】
図８は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【００７３】
図９は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【００７４】
図１０は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【００７５】
図１１は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【図面の簡単な説明】
【００７６】
【図１】本発明が適用される液晶表示装置の回路構成を示す図である。
【図２】第１実施形態の液晶表示装置の要部断面構成図である。
【図３】第２実施形態の液晶表示装置の要部断面構成図である。
【図４】第３実施形態の液晶表示装置の要部断面構成図である。
【図５】第４実施形態の液晶表示装置の要部断面構成図である。
【図６】第５本実施形態の液晶表示装置の要部断面構成図である。
【図７】本発明が適用されるテレビを示す斜視図である。
【図８】本発明が適用されるデジタルカメラを示す図であり、（Ａ）は表側から見た斜視図、（Ｂ）は裏側から見た斜視図である。
【図９】本発明が適用されるノート型パーソナルコンピュータを示す斜視図である。
【図１０】本発明が適用されるビデオカメラを示す斜視図である。
【図１１】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【図１２】従来の液晶表示装置の構成例を示す図である。
【図１３】従来の液晶表示装置の他の構成例を示す図である。
【符号の説明】
【００７７】
１-1，１-2，１-3，１-4，１-5…液晶表示装置、５…画素電極（第１電極）、１０…駆動基板（第１基板）、２０…第２基板、２１…帯電防止層、２３…カラーフィルタ層、２３’…カラーフィルタ層（帯電防止層）、２５…共通電極（第２電極）、２５ａ…開口、２７…平坦化層（帯電防止層）、３０…液晶層、ｍ…液晶分子
【図１】
0005242969.tif 000002
【図２】
0005242969.tif 000003
【図３】
0005242969.tif 000004
【図４】
0005242969.tif 000005
【図５】
0005242969.tif 000006
【図６】
0005242969.tif 000007
【図７】
0005242969.tif 000008
【図８】
0005242969.tif 000009
【図９】
0005242969.tif 000010
【図１０】
0005242969.tif 000011
【図１１】
0005242969.tif 000012
【図１２】
0005242969.tif 000013
【図１３】
0005242969.tif 000014